(57)【要約】    【課題】  バッテリーから照明装置へ通電するためのスイッチボタンは、筆記操作のための機構とは別に単独で設けられており、その操作を煩雑にするものであった。即ち、軸からペン先を突出させる操作と、照明装置を発光させる操作を、各々別々に行わなければならなかった。    【構成】  軸本体内に筆記部材を出没可能に配置すると共に、使用者が把持又は筆記している状態を検出する検出部と、該検出部で検出した前記把持又は筆記している状態を前記使用者に通知する通知手段を設けた筆記具であって、その通知手段を複数設けると共に、前記検出部、並びに、通知手段への電源の通電を行う第１スイッチと、前記通知手段の通知状態を変化させる第２スイッチを設けた筆記具。【選択図】        図１
2005132009.tif 000002
【特許請求の範囲】
【請求項１】
軸本体内に筆記部材を出没可能に配置すると共に、使用者が把持又は筆記している状態を検出する検出部と、該検出部で検出した前記把持又は筆記している状態を前記使用者に通知する通知手段を設けた筆記具であって、その通知手段を複数設けると共に、前記検出部、並びに、通知手段への電源の通電を行う第１スイッチと、前記通知手段の通知状態を変化させる第２スイッチを設けたことを特徴とする筆記具。
【請求項２】
前記検出部、並びに、通知手段への電源の通電を前記筆記部材の出没動作と連動したことを特徴とする請求項１記載の筆記具。
【請求項３】
前記通知手段の通知状態を変化させる第２スイッチを前記第１のスイッチが作動した後に作動し得るよう設けたことを特徴とする請求項１或いは、請求項２に記載の筆記具。
【請求項４】
前記通知手段の通知状態を変化させる第２スイッチを筆記部材の出没操作の延長上に設けたことを特徴とする請求項１〜請求項３の何れかに記載の筆記具。
【発明の詳細な説明】
【技術分野】
【０００１】
本発明は、軸本体内に筆記部材を出没可能に配置すると共に、使用者が把持又は筆記している状態を検出する検出部と、該検出部で検出した前記把持又は筆記している状態を前記使用者に通知する通知手段を設けた筆記具に関する。
【背景技術】
【０００２】
光源（ＬＥＤ）や振動体を用いて筆記状態を良好にする筆記具が知られている。１例として、軸の下端部にペン先の照明装置を取付けると共に、軸の内部に照明装置の電源用バッテリーを収納し、軸の頂端部に一方の側面を押圧することにより径方向へ変位して上記のバッテリーから照明装置へ通電するための回路を閉じて照明装置を発光させ、他方の側面を押圧することにより径方向の反対側へ変位して上記の回路を開いて照明装置を消光させるスイッチボタンを設けたペンがある（特許文献１）。
【特許文献１】特開平１０−１３８６９０号（請求項１、図２、図７など）。
【発明の開示】
【発明が解決しようとする課題】
【０００３】
しかしながら、バッテリーから照明装置へ通電するためのスイッチボタンは、筆記操作のための機構とは別に単独で設けられており、その操作を煩雑にするものであった。即ち、軸からペン先を突出させる操作と、照明装置を発光させる操作を、各々別々に行わなければならなかった。また、動作仕様が照明のみであり、使用者が好みに応じて選択できる余地はなかった。
【課題を解決するための手段】
【０００４】
本発明は、軸本体内に筆記部材を出没可能に配置すると共に、使用者が把持又は筆記している状態を検出する検出部と、該検出部で検出した前記把持又は筆記している状態を前記使用者に通知する通知手段を設けた筆記具であって、その通知手段を複数設けると共に、前記検出部、並びに、通知手段への電源の通電を行う第１スイッチと、前記通知手段の通知状態を変化させる第２スイッチを設けたことを要旨とする。
【発明の効果】
【０００５】
本発明は、軸本体内に筆記部材を出没可能に配置すると共に、使用者が把持又は筆記している状態を検出する検出部と、該検出部で検出した前記把持又は筆記している状態を前記使用者に通知する通知手段を設けた筆記具であって、その通知手段を複数設けると共に、前記検出部、並びに、通知手段への電源の通電を行う第１スイッチと、前記通知手段の通知状態を変化させる第２スイッチを設けたので、煩わしい通電操作から開放される。
【発明を実施するための最良の形態】
【０００６】
以下、実施例の詳細を、添付図面を参照して説明する。図１は本実施例による筆記具の正面図、図２は図１の縦断面図である。
本実施例による筆記具は、図２に示す要素からなる。透明、或いは、着色半透明な材料からなる軸本体１の前方（図中下端；以下、前方と言う）には、先部材２が螺着などの手段によって着脱自在に固定されていおり、その先部材２の前端には、ペン先が出没する先穴３が形成されている。その先穴３の後方（図中上方；以下、後方と言う）には、コイルスプリングなどの弾撥部材４によって後方に付勢され、且つ、軸本体１内を前後動可能な筆記部材５が配置されており、その筆記部材５の前端には前記ペン先６が圧入・固定されている。又、筆記部材５の後端には、中子キャップ７が配置されているが、その中子キャップ７の前端には、前記筆記部材５の後方部が嵌入する筒部８が形成されている。又、中子キャップ７の後方部は、後方に向けて開放された半円弧状のカップ部９となっており、そのカップ部９には光源（ＬＥＤ）１０が挿着されている。この中子キャップ７は、前記軸本体１と同様に、透明、或いは、着色半透明な材料から形成されており、前記光源（ＬＥＤ）１０の視認性を向上させていると共に、より効果的に使用者に認識させている。又、中子キャップ７の筒部８の下端内面には、面取り加工（面取り部１１）が施されており、前記筆記部材５の挿着性を向上させていると共に、光源１０の光が面取り部１１で乱反射することによって興趣性を持たせている。
【０００７】
図３により電子関連部品を説明する。中子キャップ７の後方には、ノック体１２が固定されており、そのノック体１２の後端部は、前記軸本体１の後端開口部から露出している。そのノック体１２には、把持及び／又は筆記している状態を検出する検出部を有する基板１３と、それを通知する振動モータ１４が取り付けられている。その振動モータ１４は軸本体１に直接取り付けても良いが、本実施例では基板１３に取り付けている。基板１３と震動モータ１４とをユニット化することによって組み立ての容易性を図っている。又、ノック体１２の後方には、筒状部１５が形成されており、その筒状部１５には、電池１６が複数個内蔵されている。その電池１６の脱落は、筒状部１５の後端に螺着によって着脱自在に取り付けられた金属製のキャップ１７によってなされている。ノック体１２の後方、即ち、軸本体１の後方に電池１６を配置したのは、使用者が電池交換を容易に行える様にするためである。
尚、前記キャップ１７の天面は、前方に向けて凹陥部１８となっているが、その凹陥部１８の頂部には凸部１９が形成されている。凹陥部１８を形成することによって、前記電池１６のプラス極との接触を良好なものとすると共に、凹陥部１８の内側に若干の凸部１９を形成することによって、押厚した際の指への感触を良好なものとしている。
符号２０は、電池１６のプラス極に接触するコイルスプリングであって、電池１６をマイナス極端子の方向へ付勢している。
【０００８】
ノック体１２の側面であって、前記軸本体１の後方側面には、表面にメッキ処理が施されたスイッチ部材２１が配置されている。スイッチ部材２１は、軸本体１の側面に形成されている２つの突起２２の間に位置しており、ピン２３によって回転自在に枢着されている。回転自在と言っても、その回転角度は、１〜３度程度である。又、スイッチ部材２１の内側には、金属材質からなる後部に円弧が形成された板バネ状の端子（第１スイッチ）２４が固着されている。即ち、前記金属材質或いは、金属メッキ処理が施されたスイッチ部材２１と板バネ端子２４とは、電源の通電によって導通される状態にある。その板バネ２４は、自らの弾性力によって前記ノック体１２に圧接している。
又、スイッチ部材２１の内側には、係合突部２８が形成されており、前記ノック体１２の凹部１２ａに形成されている第１係合段部２９、第２係合段部３０に係合し得るようになっている。即ち、筆記部材５が軸本体１に没入している状態においては、前記係合突部２８が第１係合段部２９に当接しており（図４）、筆記部材５が軸本体１から突出している状態においては、係合突部２８が第２係合段部３０に当接している（図５）。
符号２５は、前記基板１３から突出した板バネの端子（第２スイッチ）であり、その板バネ状の端子２５は、前記スイッチ部材２１に形成された係合突部２８の後部２６に当接し得るようになっている。
【０００９】
前記軸本体１の後方外周には、内部を隠蔽する塗装が施されており、筆記部材５が没入している状態においては、光源１０がその塗装部分に位置している。即ち、見えない位置となっている。しかし、筆記部材５の突出操作を行うと、光源１０は、光りながら前記塗装部分から露出する。一種の興趣性を図っているのである。
又、前記光源１０や震動モータ１４は、軸本体１のほぼ重心であって、親指と人差し指が連続する指間部が接触する部分に配置されている。即ち、震動モータ１４に寄る震動を直接、指に伝えるのではなく、指間部に伝えることによって、心地よさの向上を図ると共に、震動による筆記への影響を防止しているのである。更に、本実施例における筆記具の重量は、一般的な筆記具が１０〜３０ｇに対し、約４０ｇとなっている。重量を増すことによって、軸本体１を指間部に潜り込ませ、震動の伝達を向上させている。
【００１０】
次に、使用例、動作について説明する。使用者がキャップ１７の後端を前方に押し込むと、ノック体１２が前方に移動する。勿論、軸本体１内の筆記部材５も連動して前方に移動し、ペン先６が軸本体の先穴３から突出する。又、ノック体１２の凹部１２ａは、スイッチ部材２１の係合突起２８を摺動し、やがて、第２係合段部３０が係合突起２８に係合する。この係合によって、ノック体１２の後退が阻止され、ペン先６の突出状態が維持される。ここで、筆記可能な状態を作り出している（図５）。
【００１１】
この時、前記スイッチ部材２１の板バネ状の端子２４が金属製のキャップ１７の側面に接触し、スイッチ部材２１に電池１６の電源が通電するが、光源１０や震動モータ１４への電源の通電は行われない。ここで、更に前記キャップ１７を押し込むと、板バネ状の端子２５がスイッチ部材２１の係合突起２８に当接する。この時、前記光源１０や振動モータ１４に電源が通電される。即ち、電源の通電は、板バネ状の端子２５がスイッチ部材２１の係合突起２８に当接したときになされるようになっている。つまり、基板１３の回路は常時閉じている状態に配線されており、前記の動作によって微量な電流が流れるなど、他の信号を受けた時に光源１０や振動モータ１４への電源の通電が行われるようになっている。そして、ノック体１２を限界まで押したとき、スイッチ部材２１の内側に設置された係合突部２８と、第２係合段部３０の後方に配置された板バネ端子２５が接触すると共に、（図６）、前記キャップ１７の外周面がスイッチ部材２１に取り付けられた板バネ２４に接触し、基板１３に通電されると共に、通知手段の信号が送られる。
【００１２】
電源の通電を立つ場合には、再び、ノック対１２を押圧する。その押圧動作によって、再び係合突部２８と板バネ端子２５が接触し、次の通知手段の信号が送出される。本例においては、電源を切る命令が基板１３に伝えられる。このノック体１２の押圧操作の繰り返しで、何度でも基板１３への電源の通電、非通電を繰り返すことができる。また、ノック体１２の操作回数で光源１０や振動モータ１４の動作仕様を変更することもできる。例えば、光源１０の場合、青、赤、緑のような色の変更を順次行うことも可能であり、振動モータ１４の場合、振動の強、弱と言ったように動作仕様を設定できる。
尚、筆記部材５を軸本体１に収納するには、スイッチ部材２１の後方を軸本体１方向にピン２３を中心とし回転させ、スイッチ部材の係合突起２８がノック体１２の第２係合段部３０から離れ、筆記部材５が弾撥部材４の付勢力によって没入する。
【００１３】
次ぎに、前記検出部や通知手段に電源が通電された後の作動例を説明する。筆記動作によって生じる加速度よりも大きな加速度を検出部が検出すると、使用者が本装置を把持したものと見なし、光源１０や震動モータ１４を一回乃至複数回点滅、震動させ、休止状態から起動したことを通知する。その後、加速度検出を継続し、加速度が小さい場合は把持されているが筆記されていないと見なして、光源１０の明るさを緩やかに変化させたり、震動モータ１４の震動を緩やかに変化させる。又、加速度が大きい場合は筆記状態にある可能性があると見なし、加速度の大きさもしくは変化などに応じて、光源を点滅させる。更に、加速度が小さい状態が一定時間、少なくとも数秒程度以上継続した場合は、筆記動作および把持状態が終了したと見なし、光源１０を一回乃至複数回点滅させ、休止状態に移行することを通知する。この様に、筆記の状態や非筆記状態を検出し、種々の通知が使用者に対してなされる。
【図面の簡単な説明】
【００１４】
【図１】実施例を示す正面図。
【図２】実施例の縦断面図。
【図３】電子関連部品図。
【図４】ペン先没入状態を示す部分詳細図。
【図５】ペン先突出状態を示す部分詳細図。
【図６】スイッチ導通状態を示す部分詳細図。
【符号の説明】
【００１５】
１      軸本体
２      先部材
３      先穴
４      弾撥部材
５      筆記部材
６      ペン先
７      中子キャップ
８      筒部
９      カップ部
１０    光源
１１    面取り部
１２    ノック体
１３    基板
１４    震動モータ
１５    筒状部
１６    電池
１７    キャップ
１８    凹陥部
１９    凸部
２０    コイルスプリング
２１    スイッチ部材
２２    突起
２３    ピン
２４    板バネ（第１スイッチ）
２５    板バネ（第２スイッチ）
２６    後端部
２８    係合突部
２９    第１係合段部
３０    第２係合段部
【図１】
2005132009.tif 000003
【図２】
2005132009.tif 000004
【図３】
2005132009.tif 000005
【図４】
2005132009.tif 000006
【図５】
2005132009.tif 000007
【図６】
2005132009.tif 000008